(57)【特許請求の範囲】
【請求項１】
船縁上面に取付ける釣り仕掛け収納台であって、該釣り仕掛け収納台の基台を海側に張り出すように設け、前記基台の海側部分に、船縁内側へ向かって狭幅となる切込みと前記切込みに連続する狭幅スリットとを複数並列して設けてなり、前記狭幅スリットは針結び目の通過を阻む幅かつハリス径よりは広い幅で設け、かつ、前記狭幅スリット上面が海側へ向かう下り勾配に設けられて成るまたは前記狭幅スリットに隣接する部分がカットされて海側へ向かう傾斜面を設けて成り、かつ、別に糸保持部を設けてなることを特徴とする船縁りに取付ける釣り仕掛け収納台。
【請求項２】
請求項１記載の釣り仕掛け収納台において、前記切込みと前記狭幅スリットとを複数並列して設ける海側部分が、前記基台を折り曲げて設けられるか又は前記基台の海側部分に別体として設けられる、帯状部分として成ることを特徴とする船縁りに取付ける釣り仕掛け収納台。
【請求項３】
請求項１または請求項２記載の釣り仕掛け収納台において、前記切込みと前記狭幅スリットとが並列する各部が成す方形部分の下部に、前記方形部分の船縁前後の側と船縁内側の計３面に互いに連続しかつ下方へ向かう壁が構成されて成り、かつ、前記の壁の最下端が成す開口部が船縁内側に向かって狭幅となるよう設けて成ることを特徴とする船縁りに取付ける釣り仕掛け収納台。
【発明の詳細な説明】
【０００１】
【発明の属する分野】
本発明は、船縁りに取付ける釣り仕掛け収納台に関する発明である。
【０００２】
【従来の技術】
海釣り仕掛けは、対象とする魚種に適した同様の形状の釣針を吹流し状に複数連結し、仕掛けの上部または末端に錘を付ける形が一般的である。その収納方法は、半開きの傘の骨状の針を複数連結したイカ針仕掛け収納具が知られている。複数の穴や筒、溝、または、ブラシなどに針または針の軸を順次収納する方法である。他に、磁力を利用して針自体を吸引保持する方法があるが、針に餌や擬似部等の付加物を伴う場合は磁力不足、また、糸が風や船の揺れにあおられて外れてしまう等の問題が生じる。つまり、多様な釣仕掛けを自在に収納しかつ再投入する、汎用性を謳った収納具は、従来、殆んど紹介されていない。
【０００３】
【発明が解決しようとする課題】
釣仕掛けは、一般的に、糸と針、そして、錘からなる。海釣りは、幹糸と呼ばれる糸に、ハリスで結ばれた針を吹流し状に多数連結し、末端に錘を付けて海中に下ろし行なう。釣人は、前後左右共に狭い船縁で、揺れや風に悩まされながら、危険でからみやすい仕掛けを始末せねばならない。仕掛けは、全長が２〜２０メートル、針数は１〜２０本、錘は数十グラム〜２キログラム、針と針の間隔は２０〜２００センチメートル、針は、し字型や錨型、ルアー針、イカ針なと多種多様、かつ、結び目や連結金具、餌を伴い、餌や針先が傷むことをきらう。敢えて共通点を探せば、全ての針が、ハリスで結ばれ、一般的なハリスの太さは１ミリメートル以下、針ちもとの結び目の直径はハリスの太さの３倍以上であること位である。尚、以下に、ハリスと幹糸を含めて糸と呼ぶ。釣人は、これらの仕掛けを効率良く始末し、かつ、ナイフやハサミも多用せねばならない。課題は、４点である。
【０００４】
【課題１】は、危険な釣針を、簡単確実かつ安全に保持し、次の投入時、スムースに離脱せしめることである。形状、重さ、材質、針先数、餌や擬餌部を伴う多様な針を、餌や針先を痛めず自在に保持し、かつ、安全な作業が求められる。
【０００５】
【課題２】は、仕掛け糸を、簡単確実に保持し、次の投入時、スムースに離脱せしめることである。仕掛け糸は、幹糸とハリスからなり、長さや太さが様々で、ハリスと幹糸の間に結び目や連結金具が存在し、風に舞ってからむ等し易い。
【０００６】
【課題３】は、仕掛けを、風や揺れに負けずに秩序良く保持し、次の投入時、秩序良く水面に送り出すことである。
【課題４】は、釣りの安全と効率を高めることである。
【０００７】
【発明の目的】
本発明の目的は、上記課題を解決し、釣の効率と安全性を高める、新しい釣り仕掛け収納台を提供することにある。
【０００８】
【課題を解決するための手段】
【０００９】
【課題１の解決】
本発明釣り仕掛け収納台は、船縁上面に取付ける釣り仕掛け収納台であって、該釣り仕掛け収納台の基台を海側に張り出すように設け、該基台の海側部分または該基台の海側部分に設ける帯状部分に、船縁内側へ向かって狭幅となる切込みと前記切込みに連続する狭幅スリットとを複数並列して設け、かつ、前記狭幅スリットは針結び目の通過を阻む幅にして多様な針のぶら下げを可能にし、かつ、ハリス径よりは広い幅で設けてハリスの着脱を容易にし、かつ更に、前記狭幅スリット上面を海側へ向かう下り勾配に設けるまたは前記狭幅スリットに隣接する部分をカットして海側へ向かう傾斜面を設けて、仕掛け糸の結び目や連結金具を滑らかに落下せしめ、かつ、別に設ける糸保持部にハリスまたは糸を挟持して釣り仕掛けを保持する。更に、本発明釣り仕掛け収納台は、前記切込みと前記狭幅スリットとが並列する各部が成す方形部分の下部に、前記方形部分の船縁前後の側と船縁内側の計３面に互いに連続しかつ下方へ向かう壁を設け、かつ、前記壁の最下端が成す開口部が船縁内側に向かって狭幅となるよう設けかつ更に前記壁の前記開口部の狭幅にされた最奥部が前記狭幅スリットにぶら下げられたイカ針の軸の途中に触れるように構成して、隣の針との接触トラブルを防いで課題１を解決する。
【００１０】
前記方形部分毎の下方の空間で、該空間の船縁り外側と船縁り下側を向いて開口する面は、針の受入れと離脱を容易にする。前記方形部分と前記壁は、船釣りに使われる一般的な針を、三方の壁に触れることなく内側にぶら下げ保護できるサイズとする。該方形部分の幅と保持したい針数の乗数が、前記基台の幅または前記帯状の板の幅となる。本発明釣り仕掛け収納台は、前記基台に付属する船縁り固定台座を、一般に広く使用されている竿掛け器や万力により、船縁りに圧着固定して使用する。本発明釣り仕掛け収納台は、船縁り上面の作業台状で、危険な針保持部は、船縁り外側となる。
【００１１】
前記方形部分は、針保持の要である。狭幅スリットの幅は、糸の太さより広くして、受入れた糸を通過させ、針ちもとの結び目径よりは狭くして、針の結び目で通過を阻む幅とする。船釣りに使われるほぼ全ての針保持を可能とする前記狭幅スリットの実施例は、幅が１ｍｍ程度と極めて狭く、実用上、糸のセットが難しい。該困難は、狭幅スリットを、前記方形部分の船縁り外側を向いて広く開口する切込みの奥に連続させて解決する。針は、糸保持による糸の張力によって、狭幅スリット最奥部にぶら下げ保持される。狭幅スリットは、危険で形状様々な針を、針を直接持たない安全な方法かつ同じ方法で保持せしめ、更に、確実な保持と針先や餌を痛めない投入を両立させる。これらの利点を併せ持つ方法は、従来に無い。
【００１３】
前記狭幅スリット上面の構成は、重要である。前記狭幅スリット上面が、ある程度の範囲で、船縁り外側に向かって上り勾配に設けられても、勢い良く投入することにより、仕掛けは投入できる。つまり、【００１１】項記載の利点を享受できる。しかし、ソフトな投入が必要な柔らかい餌付き針の場合、投入の勢いを弱くすると連結金具などが該狭幅スリット上面で通過を阻まれ、投入の勢いを強くすると餌が外れることがある。本来、糸は、連結金具等を伴っても、すべり落ちるように滑らかに離脱することが好ましい。
【００１４】
本発明釣り仕掛け収納台は、前記狭幅スリット上面が海側へ向かう下り勾配に設けられるまたは前記狭幅スリットに隣接する部分がカットされて海側へ向かう傾斜面が設けられて、前項の連結金具通過トラブルを解決する。前記解決策によって、連結金具は、滑り落ちるように水面に向かう。
【００１５】
更に、本発明釣り仕掛け収納台は、前記方形部分の上面を基台面より低い位置に取付ける、及び／又は、針保持部と糸保持部の糸の通路つまり基台面にスポンジ等の衝撃吸収材を設ける、及び／又は、糸通過の障害となる突起部に丸みを付ける等を施して、糸の通過を滑らかにし解決する。前記解決策により、餌付きの針も、餌が、外れることなく離脱する。
【００１６】
以上の解決策では、一般的な針は、壁の内部にぶらさげ保持できるが、イカ針やルアー針なとの軸が長い針は、風や船の揺れによって、壁の下方にはみ出した針先が、隣の針と接触することがある。
【００１７】
本発明釣り仕掛け収納台は、前記下方空間毎の前記三方の壁に囲まれ船縁り下方に向かって開口する面に、該面の前記狭幅スリット最奥部垂直下方の部位から該面の船縁り外側に向かって広幅となる開口部を構成する壁を設けて、長軸の針の接触トラブルを解決する。
【００１８】
前記構成の壁は、前記面に前記開口部を構成することが要点である。前記狭幅スリット最奥部にぶら下げられる長軸の針は、前記壁の最下端が成す前記開口部が船縁内側に向かって狭幅にされている最奥部に触れて、揺れが抑制され、隣の針との接触トラブルを減少する。前記構成の壁の実施例は、３種類に大別できる。実施例の１は、前記面に前記開口部を有する壁を設ける方法である。実施例の２は、前記三方の壁のうち、船縁り内側に向かう壁を、該壁が両側の壁に連続する部分は奥行きが浅く、船縁り内側に向かう上下方向中心線では奥行きが深く、かつ、該壁が、船縁り外側に向かって仰角となるよう設ける方法である。実施例の２は、該壁の下側端部の形状を、実施例の１の開口部と同じ位置で、同じ形状とする事により、実施例の１と同じ機能を果たす。実施例の３は、前記三方の壁に連続しかつ前記開口部を有する曲面の壁を設ける方法である。前記曲面状の壁は、上部では前記三方の壁の形状を保ちつつ、該壁の下部において、前記構成の壁の前記開口部を構成して曲面を成し、実施例の１と同じ機能を果たす。
【００１９】
前記実施例の１は、長軸でない一般的な針を使用する場合は、該壁が、針離脱時の障害となるので、該壁を船縁り内側に向かう壁の背部に蝶番などによってスイングして隠す必要がある。前記実施例の２は、針保持空間が多少狭くなるが、充分、目的を達する。前記実施例の３は、一般的な針の保持空間を広く得られる解決策である。前記構成の壁の三種類の実施例は、一般的な針保持と同じ手順による、長軸の針の保持を可能にする。
【００２０】
実際の針保持は、針近くの糸を持って、針をぶら下げ、糸を切込みへと誘導しつつ、手前に引く。針は、狭幅スリットで停まり、糸に張力を発生する。釣人は、該張力を利用しつつ糸保持部に糸を挟持し、針数分繰り返す。上記の針と糸のセットは片手による連続動作であり、針は、船縁り外側で保持され、針を直接持たない安全な作業である。本発明釣り仕掛け収納台による針のぶら下げ保持は、一般的な針に加え、餌付きの針、長軸の針に対応し、針先や餌に優しい保持を可能にする。つまり、課題１を解決する。
【００２１】
【課題２の解決１】
本発明釣り仕掛け収納台は、船縁り上面に取付ける基台の船縁り外側を向く一端に平行して遠近することを可能にされて、前記基台に取付けられるシャフトに、摩擦係数と弾性の大きい複数の回転体が配列されかつそれぞれの前記回転体の間に２個以上の摩擦係数と弾性の小さい回転体が配列されるか、或いは、摩擦係数と弾性が一端は大きく他端は小さい回転体が摩擦係数と弾性の大きい面を向き合うよう複数組み配列され、かつ、何れの場合の回転体も互いに接触圧を生ずるよう配列されてなり、更に、前記回転体の配列の端部に接触圧調節機構を設けるか或いは設けない構成として、摩擦係数と弾性が大きい前記回転体と摩擦係数と弾性が小さい前記回転体の接触部、或いは、摩擦係数と弾性が大きい前記面が向き合う接触部に糸を挟持する。前記糸保持部を回転体糸保持部、そして、前記シャフトを回転体糸保持シャフトと言う。
【００２２】
前記回転体糸保持シャフトは、針保持部に平行しつつ遠近することを調節可能にされ、長短さまざまな糸の余りを最少に保持し、余り糸が風に舞ってからむ等を減少する。回転体糸保持シャフトの遠近調節は、基台への取付け部を複数ケ所設ける、または、該シャフトの取付けアームをスライド式又は折りたたみ式にする事により行う。
【００２３】
前記回転体糸保持部は、何れの場合の回転体も互いに接触圧を生ずるよう配列される。接触圧は、糸保持接触部に糸を挟持した際、【００１１】項で述べた、針のぶら下げ保持に必要な糸の張力をもたらす。接触圧は、回転体糸保持シャフトに並ぶ回転体の両端または一端にコイル  バネなとの弾性体を設ける、又は、前記の摩擦係数と弾性の大きい回転体の弾性を糸の挟持に適した弾性とする事により得られる。
【００２４】
前記回転体糸保持部は、片側または両側に摩擦係数と弾性の大きい接触面を有する接触部によって、しっかりと糸を保持する。糸のセットは、回転体の糸保持接触部側の外周に丸みをつける、及び／又は、回転体の直径や長さに差を付ける事により容易にできる。
【００２５】
前記回転体糸保持部は、糸保持接触部が、互いの間に、摩擦係数と弾性の小さい接触面どうしの接触部を有するため、独立して回転する。糸保持接触部の独立した回転は、糸の連結金具などを障害とすること無く、滑らかに離脱せしめる。回転せずに通過を許す程度のゆるい接触圧では、確実な糸の挟持がおぼつかない。前記回転体糸保持部は、糸保持接触部の、充分な接触圧、大きい摩擦抵抗、独立した回転が相まって、確実な糸の保持と滑らかな離脱を両立させる。
【００２６】
釣りは、餌の有無、針や錘の軽重など様々である。餌がある時や軽い錘の場合はソフトな保持、逆の場合は、強い保持が望まれる。本発明釣り仕掛け収納台は、前記回転体の接触圧調節機構を設ける事により解決する。前記接触圧調節機構は、【００２３】項で述べたコイル  バネなとの弾性体の外側に、回転ローターを設けて接触圧を調節する。
【００２７】
【課題２の解決２】
本発明釣り仕掛け収納台は、船縁り上面に取付ける基台の船縁り外側を向く一端に平行して遠近しかつ回転可能にされて前記基台に取付けるシャフトに設けられる帯状弾性体の一端が、前記シャフトに設けられるバネなどの弾性体によって前記基台面を向いて立ちかつ前記基台の船縁り外側を向いて倒れるようにされ、更に、前記帯状弾性体の前記一端から該帯状弾性体中央に向かって狭幅となる切込みと該切込みに連続する切れ目が複数並列するように設け、該切込みに糸を挟持する。以下に、前記糸保持部を弾性体糸保持部、そして、前記シャフトを弾性体糸保持シャフトと言う。
【００２８】
前記弾性体糸保持部は、針保持部に平行して遠近することを可能にされて、長短さまざまな糸の余りを最少に保持し、余り糸が風に舞ってからむ等を防ぐ。前記弾性体糸保持部の遠近調節は、弾性体糸保持シャフトの基台への取付け部を複数ケ所設ける、または、弾性体糸保持シャフトの取付けアームをスライド式にして行う。
【００２９】
前記弾性体糸保持部の糸保持力は、前記切れ目を構成する帯状弾性体の弾性を選ぶことにより自在である。前記帯状弾性体の弾性を強くした場合、しっかりとした糸保持が可能であるが、該帯状弾性体が前記基台面に立ったままでは、前記切れ目が、糸の連結金具等の通過障害となる。前記弾性体糸保持部は、前記帯状弾性体の前記一端が、前記基台面に立った状態で前記切れ目に糸を受入れ、前記基台の船縁り外側に向かって倒れた状態で糸を離脱するようにして、前記通過障害を解決する。前記帯状弾性体を倒す動作は、糸離脱時の糸の張力または人手によって行なうが、前記弾性体糸保持シャフトの回転とバネの弾性により、糸受入れ状態の基台面に立った状態に自動復帰する。前記帯状弾性体の前記切込みは、前記切れ目への糸の誘導を容易にする。
【００３０】
前記弾性体糸保持部は、糸保持力調節機構の付加が困難となるが、【課題２の解決１】の項で記した回転体糸保持部に較べて、安価にできる。前記弾性体糸保持部は、前記切れ目の充分な弾性と大きな摩擦抵抗、そして、前記帯状弾性体が糸の離脱方向に倒れることにより、糸の確実な保持と滑らかな離脱を両立させる。
【００３１】
本発明釣り仕掛け収納台は、糸保持部及び／又は針保持部の両端に、前記基台面を向いて立ち、柔軟かつ倒れることが可能な糸通路のガイドを設ける。糸通路のガイドは、余り糸が風に舞って適正な通路を外れることを防ぎ、かつ、外れた場合も、糸通路のガイドの内側に修正することにより、滑らかな離脱をせしめる。また、糸の離脱方向に倒れる事により、該糸通路のガイドに糸がからんだ場合の糸の離脱を容易にする。糸通路のガイドは、糸保持部及び／又は針保持部の両端に糸通路のガイド取付け部を設け、柔軟なゴム  チューブ等を取付ける。
【００３２】
以上の解決策によって、連結金具等を伴う長短様々な糸も、しっかりと保持され、滑らかに離脱する。つまり、本発明釣り仕掛け収納台は、課題２を解決する。
【００３３】
【課題３の解決】
本発明釣り仕掛け収納台は、形状様々な針と長短様々な糸を、平行して並ぶ複数の針保持部と糸保持部に、秩序良く収納する。仕掛けは、針毎に２ケ所づつ保持され、船の揺れや風などで外れる事も最少である。仕掛けは、基台の前方に錘を投入するだけで、秩序良く、すべり落ちるように離脱する。以上は、課題３を解決する。
【００３４】
【課題４の解決】
本発明釣り仕掛け収納台は、船縁り上面に取付ける基台面に、凹部を有する平板状弾性体または複数の細長い平板状弾性体が、前記基台の船縁り外側の一端及び／又は船縁り内側の一端に平行する凸部を構成しかつ前記基台の中央部に凹部を構成するよう設ける。前記平板状弾性体が構成する、前記凸部は、連結金具等の通過の衝撃を和らげ、前記凹部は、危険な予備針やナイフ、ハサミ等の収納を可能にする。本発明の釣り仕掛け収納台は、作業がし易い釣人の手元に装着され、危険で複雑な仕掛けの始末の効率を上げ、かつ、釣りの危険を最少にする。以上は、課題４を解決する。
【００３５】
【発明の実施の形態】
図１は、本発明の釣り仕掛け収納台の針保持部第一実施例と回転体糸保持部第一実施例による全体斜視図である。図２は、狭幅スリット実施例の拡大斜視図である。図２左は、前記狭幅スリットに前記の傾斜面を設けない実施例であり、図２右は、前記狭幅スリットに前記の傾斜面を設ける実施例である。図３は、壁７ｄを除いた状態が、図１に示されている針保持部第一実施例の拡大斜視図であり、壁７ｄを付加する状態が、長軸の針保持を可能にする改善説明である。図４は、壁７ｄを除いた状態が、図１に示されている針保持部第一実施例の側面断面図であり、壁７ｄを付加する状態が、長軸の針保持を可能にする改善説明である。図５は、本発明釣り仕掛け収納台の針保持部第二実施例を説明する側面断面図である。図６は、本発明釣り仕掛け収納台の針保持部第三実施例を説明する側面断面図である。図４と図５と図６は、回転体糸保持部第一実施例の異なる取付け位置を説明する断面説明図を兼ねる。更に、図６は、基台面に平板状弾性体を設けて、基台面中央に凹部を設ける断面説明図を兼ねる。図７は、本発明釣り仕掛け収納台の針保持部第二実施例の拡大斜視図である。形状様々な針を保持している。図８は、本発明釣り仕掛け収納台の回転体糸保持部第一実施例の拡大斜視図である。図９は、本発明釣り仕掛け収納台の回転体糸保持部第二実施例の拡大斜視図である。図１０は、本発明釣り仕掛け収納台の弾性体糸保持部第一実施例の拡大斜視図である。図１１は、図１実施例のより発展的な使用例の全体斜視図である。尚、図４，図５，図６，図７は、壁７ａ，７ｂと基台左右立上げ部１７が透視され、内部の状況を分り易くしている。
【００３６】
図１は、本発明釣り仕掛け収納台の針保持部第一実施例と回転体糸保持部第一実施例による全体斜視図である。
【００３７】
本発明釣り仕掛け収納台は、船縁り固定台座３６を、基台２の下部から右又は左にスイングさせ、竿掛け器によって船縁り１に圧着固定する。船縁り固定台座３６は、左右に設けられた基台２の基台台座取付け穴３８と台座取付け穴３９を介して、台座固定ローター３７によって取付けられる。左右何れかの穴を選ぶことによって、利き手に適した取付け位置が選べる。
【００３８】
図１の針保持部第一実施例は、船縁り１の上面に取付ける基台２の船縁り外側を向く一端の帯状部分３Ａが分割されて並列する方形部分４に、前記方形部分毎の船縁り外側から該方形部分中央に向かって狭幅となる切込み５と該切込みに連続する狭幅スリット６を設けて、針をぶら下げ保持し、かつ、前記方形部分４の下方の空間は、該空間の船縁り外側と船縁り下側を向く面が開口し、残る三方を壁７で囲んで、針を保護している。前記帯状部分３Ａは、基台２の船縁り外側に向かう一端を折り曲げずに、前記方形部分４を構成したものである。前記の針保持部第一実施例の、より詳細な説明は、図２左に方形部分４の拡大斜視図、図３の壁７ｄを除いた状態が、拡大斜視図として示されている。
【００３９】
本発明釣り仕掛け収納台針保持部の実施例は、前記方形部分４を２０ｍｍ乃至５０ｍｍ角程度とし、該方形部分の船縁り外側に向かってほぼ幅一杯に開口する切込み５を該方形部分中央に向かって狭幅となるよう設け、更に、前記狭幅スリット６を幅１ｍｍ程度長さ数ｍｍ乃至１０数ｍｍで前記切込み５に連続させ、壁７の高さは３０ｍｍ乃至１００ｍｍ程度とする。図１では、一般的な針８と餌付きの針９は壁７に触れること無く内側に保持され、長軸のイカ針１０とルアー針１１は壁からはみ出している。
【００４０】
図２は、本発明釣り仕掛け収納台の狭幅スリット実施例の拡大斜視図である。図２左の実線部分は、前記狭幅スリットに前記の傾斜面を設けない実施例である。図２右は、前記狭幅スリットに前記の傾斜面を設ける実施例で、狭幅スリット６の最奥部を起点に前記切込み５に向かうＶ字谷状の斜面を設けて、連結金具通過トラブルを解決する実施例である。図２左の点線部分１３を取り除き、図２右の如くＶ字谷状斜面１４を設けて、連結金具の滑らかな通過を達成する。
【００４１】
図３および図４の、壁７ｄを除いた状態は、図１の針保持部第一実施例の拡大斜視図および側面断面図である。針は、狭幅スリット最奥部の垂直下方１２方向にぶら下げ保持される。前記針保持部第一実施例は、風や船の揺れによって、長軸の針先が、隣の針先と接触することがある。
【００４２】
図３および図４の、壁７ｄを付加した状態は、前記接触トラブルを解決する方法で、【００１８】項記載の実施例の１を採用したものである。前記下方空間毎の前記三方の壁７に囲まれ船縁り下側に向かって開口する面の、前記狭幅スリット最奥部の垂直下方１２に位置する部位から、前記面の船縁り外側に向かって広幅となる開口部を有する壁７ｄを設ける。長軸の針は、壁７ｄの、前記狭幅スリット最奥部の垂直下方１２部位つまり前記開口部の最奥部に触れて、揺れが抑制される。尚、前記の壁７ｄは、一般的な針の場合、針離脱時に障害となるので、壁７ｃの背面にスイングして隠す必要がある。
【００４３】
図５は、本発明釣り仕掛け収納台針保持部第二実施例の側面断面図である。また、該針保持部第二実施例の拡大斜視図が、図７に示されて居り、合わせて説明する。
【００４４】
図５および図７に示されている前記針保持部第二実施例は、【００１８】項記載の実施例の２を採用している。船縁り内側に向かう壁７ｃの構成を、該壁の両側の壁７ａ，７ｂに連続する部分は奥行きが浅く、船縁り内側に向かう上下方向中心線では奥行きが深く、かつ、該壁７ｃが船縁り外側に向かって仰角となるよう設けている。長軸の針は、壁７ｃの下側端部中央に触れて、揺れが抑制され、一般的な針は、壁７の内側に保持されている。
【００４５】
図６は、本発明釣り仕掛け収納台の針保持部第三実施例の側面断面図である。針保持部第三実施例は、【００１８】項記載の、曲面となる壁を設ける実施例の３を採用したもので、壁の内側にぶら下げられる針の保持空間を広く確保できる方法である。壁７ａ，７ｂ，７ｃの上部を垂直な壁面とし、かつ、壁７ａ，７ｂ，７ｃの下部を互いに連続する曲面状の壁とし、長軸の針の途中が、該曲面状の壁が構成する前記開口部の最奥部に触れるよう構成する。
【００４６】
上述の【００１８】項記載の三種類の改善方法は、本発明釣り仕掛け収納台の、一般的な針と同じ方法による、長軸の針保持を可能にする。
【００４７】
図４と図５と図６は、本発明釣り仕掛け収納台針保持部の、方形部分４上面の構成を説明する側面断面図を兼ねる。図４に示されている針保持部第一実施例は、基台２の船縁り外側を向く一端を折り曲げずに前記方形部分４としている為、該方形部分４の上面が、連結金具などの通過障害となる心配がある。図５に示されている針保持部第二実施例は、方形部分４の上面全体を、船縁り外側に向かって下り勾配にし、かつ、方形部分４の上面全体を基台２の面より低い位置に設けている。図６の針保持部第三実施例は、狭幅スリット６の最奥部上面が、平板状弾性体１５の上面より高い位置となって居るが、方形部分４の上面が、狭幅スリット６の最奥部を頂点に、船縁り外側と内側に向かって下り勾配にされ、かつ、方形部分４の船縁り内側を向く角に丸みが付けられている。前記針保持部第二実施例および前記針保持部第三実施例は、連結金具などを障害とせずに通過せしめる。前記方形部分４の上面が、船縁り外側に向かう前記下り勾配の角度は、急角度になるほど糸のセットが難しくなるため、前記基台２面に対して、３０度以内が好ましい。
【００４８】
図１，図４，図５，図６に示されている回転体糸保持部第一実施例は、回転体糸保持シャフト２１が、コの字型状をしたアーム２０の両端部を貫通し、取付けシャフト１９が、前記アーム２０の二つの曲折部に近い部位を貫通して、方形をなし、基台左右立上げ部１７に設けられている取付け穴１８に、前記取付けシャフト１９を介して取付けられている。針保持部は船縁り外側、糸保持部は釣り人側となり、選ばれる取付け穴１８によって、平行しつつ遠近する。図４と図５と図６の側面断面図は、前記回転体糸保持部第一実施例の遠近調節をする説明を兼ねている。特に、図６の場合の、回転体糸保持部を、船縁り内側の垂直下方に取付ける方法は、強風下の、長い余り糸の舞い上がりトラブルを最少にする。
【００４９】
図８は、図１に示されている回転体糸保持部第一実施例の拡大斜視図である。前記基台２の船縁り内側の一端に、針保持部に平行しつつ遠近することを調節可能にされている回転体糸保持シャフト２１に、摩擦係数と弾性が大きい複数の回転体２２が並べられかつ各々の回転体の間に摩擦係数と弾性の小さい回転体２３ａと２３ｂが１個づつ配列されている。前記回転体の配列の外側には、コイル  バネ２７を設けて互いに接触圧を生ぜしめ、更に、外側に接触圧調節ローター２８を設けて、前記回転体の接触圧を可変にしている。糸は、摩擦係数と弾性が大きい回転体２２と摩擦係数と弾性の小さい回転体２３ａの接触部に挟持されている。
【００５０】
図９は、回転体糸保持部第二実施例の拡大斜視図である。回転体糸保持シャフト２１に、摩擦係数と弾性が一端は大きく他端は小さい複数の回転体２９が互いに同じ摩擦係数と弾性を有する端が向き合うよう配列され、前記回転体の配列の外側にコイル  バネ２７を設けて接触圧を生ぜしめ、更に、前記コイル  バネ２７の外側に接触圧調節ローター２８を設けて、接触圧を可変にしている。糸は、摩擦係数と弾性が大きい端が向き合う接触部に挟持されている。
【００５１】
図１０は、弾性体糸保持部第一実施例の斜視図である。帯状弾性体３１が、船縁り１上面に取付ける基台２の船縁り外側の一端に平行しつつ遠近しかつ回転する弾性体糸保持シャフト３０に設けられたバネ３４によって、基台２面を向いて立っている。前記基台面を向いて立っている前記帯状弾性体３１の前記一端には、該帯状弾性体の中央に向かって狭幅となる弾性体切込み３２と該切込みに連続する弾性体切れ目３３が複数並列して設けられ、該弾性体切れ目３３に糸２４を挟持している。前記帯状弾性体３１は、前記基台２面を向いて立った状態３１ａで糸を受入れ、前記基台の船縁り外側を向いて倒れた状態３１ｂで糸の離脱をする。前記帯状弾性体３１を倒す動作は、離脱時の錘の重さ、または、人手によって行う。前記帯状弾性体３１は、前記バネ３４によって自動的に復帰する。
【００５２】
図１０に示されている弾性体糸保持部第一実施例は、基台２の船縁外側の一端に平行して設けられる針保持部が省略されているが、図１，図２，図３，図４，図５，図６，図７に示されている何れの針保持部の実施例も、採用可能である。
【００５３】
図１，図８，図９，図１１は、糸通路ガイド２６の取付けを説明している。針保持部に近接する基台左右立上げ部１７の両側および回転体糸保持シャフト２１の両側に、糸通路ガイド取付け部２５を介して、糸通路ガイド２６が前記基台２面を向いて立っている。糸通路ガイド２６は、投入時に、糸を該糸通路ガイドの内側に通すことにより、糸からみを最少にせしめる。図８，図９に示されている回転体糸保持シャフト２１の両端に位置する糸通路ガイド取付け部２５は、倒立可能となっている。糸通路ガイド２６は、軟質ゴムや軟質プラスチック  チューブを糸通路ガイド取付け部２５に設ける突起に挿入して取付ける。
【００５４】
以上により、長短様々な糸は、しっかりと保持され、連結金具や風に邪魔されること無く、滑らかに離脱する。
【００５５】
図１１は、図１実施例の、より発展的な使用例を示している。図１１は、船縁り固定台座３６が、台座固定ローター３７の移動によって、図１と異なる側に張り出し、異なる利き手の利用を可能にしている。また、図１１の基台２の表面には、平板状弾性体１５が設けられて連結金具などの離脱の衝撃を和らげ、かつ、基台中央にできる凹部１６に、危険なハサミや予備針、餌等の収納を可能にしている。また、図１１は、針保持部の壁７ｃの取付け角度を調節可能にする、壁取付け角度可変ローター３５の取付け説明も兼ねる。壁７の取付け角度を垂直に設けることで、特に餌が長い場合の壁７への接触を減少せしめる。壁取付け角度可変ローター３５は、針保持部の両側に設ける穴と基台の針保持部の左右両側に張出させて設ける側壁の穴を接合させ、壁の取付け角度を可変にする。
【００５６】
図６の側面断面図及び図１１の全体斜視図は、２本の細長い平板状弾性体１５が、船縁り上面に取付ける基台２面の船縁り外側の一端および船縁り内側の一端に平行して凸部を構成するよう設けられ、基台２の基台左右立上げ部１７と相まって該基台中央部に凹部１６を構成している。
【００５７】
本発明の釣り仕掛け収納台各部の素材は、何れも、塩水、魚醤、紫外線への耐性が求められる。摩擦係数と弾性が大きい回転体２２及び帯状弾性体３１及び糸通路のガイド２６はゴム乃至軟質プラスチック、摩擦係数と弾性が一端は大きく他端は小さい回転体２９はゴム乃至軟質プラスチックと硬質プラスチックやステンレスとの複合材、平板状弾性体１５は発泡ゴム乃至発泡プラスチック、その他の摩擦係数と弾性が小さい回転体２３、基台２、壁７、取付けシャフト１９、アーム２０、船縁固定台座３６は硬質プラスチックやステンレスが好ましい。
【００５８】
以上、発明の実施の形態について述べたが、この実施の形態に限定されること無く、変形例も本発明の範囲に包含される。
【００５９】
【発明の効果】
【効果１】
形状多様で複数の針、かつ、長短様々な仕掛けであっても、同じ収納台で、同じ手順により、収納できる。
【効果２】
危険な針保持は、船縁外側で針を直接持たない、安全な方法である。
【効果３】
針保持と糸保持が、片手による連続的な動作で、簡単である。
【効果４】
針と糸をしっかりと２ケ所保持する為、確実かつ安全である。
【効果５】
ぶら下げ保持により、餌や針先に優しい保持と投入ができる。
【効果６】
すべり落ちるような糸の通路と独立して回転する糸保持部によって、餌付き針の投入も可能にする。
【効果７】
回転体接触圧調節機構によって、錘の軽重にも対応可能である。
【効果８】
糸通路ガイドによって、風が強い場合も、糸がらみが最少である。
【効果９】
釣人手元の収納スペース付き作業台状で、釣の効率と安全性を高める。
【００６０】
【図面の簡単な説明】
【図１】図１は、本発明の釣り仕掛け収納台の針保持部第一実施例と回転体糸保持部第一実施例による全体斜視図である。
【図２】図２は、狭幅スリット実施例の拡大斜視図である。図２左の実線部分は、前記狭幅スリットに前記の傾斜面を設けない実施例である。図２右は、前記狭幅スリットに前記の傾斜面を設ける実施例で、狭幅スリット６の最奥部を起点に前記切込み５に向かうＶ字谷状の斜面を設ける実施例である。
【図３】図３は、壁７ｄを除いた状態が、図１に示されている針保持部第一実施例の拡大斜視図であり、壁７ｄを付加する状態が、長軸の針保持を可能にする改善説明である。
【図４】図４は、本発明釣り仕掛け収納台の針保持部第一実施例の側面断面図である。
【図５】図５は、本発明釣り仕掛け収納台の針保持部第二実施例の側面断面図である。
【図６】図６は、本発明釣り仕掛け収納台の針保持部第三実施例の側面断面図である。尚、図４と図５と図６は、糸保持部の異なる取付け位置の断面説明図を兼ねる。更に、図６は、基台面に平板状弾性体を設けて、基台面中央に凹部を設ける断面説明図を兼ねる。
【図７】図７は、本発明釣り仕掛け収納台の針保持部第二実施例の拡大斜視図である。形状様々な針を保持している。
【図８】図８は、本発明釣り仕掛け収納台の回転体糸保持部第一実施例の拡大斜視図である。
【図９】図９は、本発明釣り仕掛け収納台の回転体糸保持部第二実施例の拡大斜視図である。
【図１０】図１０は、本発明釣り仕掛け収納台の弾性体糸保持部第一実施例の拡大斜視図である。
【図１１】図１１は、図１実施例のより発展的な使用例の全体斜視図である。
【図１】
0003692493.tif 000002
【図２】
0003692493.tif 000003
【図３】
0003692493.tif 000004
【図４】
0003692493.tif 000005
【図５】
0003692493.tif 000006
【図６】
0003692493.tif 000007
【図７】
0003692493.tif 000008
【図８】
0003692493.tif 000009
【図９】
0003692493.tif 000010
【図１０】
0003692493.tif 000011
【図１１】
0003692493.tif 000012